(57)【要約】【課題】導電性のカバーと絶縁シートとの固定を容易にし、電子部品を実装された実装基板と、導電性のカバーとを絶縁する。【解決手段】カバー背面部９４及びカバー前面部９６は、第２のカバー本体８８の実装基板に対向する面と第２の絶縁シートとが互いの積層方向と平行な方向の相対位置を規制できるように第１の位置決め部を有する。第１の位置決め部は、複数の第１の曲げ部１１２又は複数の第２の曲げ部１１４から構成される。カバー下面部９０及びカバー上面部９２は、第２のカバー本体８８の実装基板に対向する面と第２の絶縁シートとが互いの積層方向と垂直な方向の相対位置を規制できるように第２の位置決め部を有する。第２の位置決め部は、それぞれ複数の爪部１０４から構成される。【選択図】          図８
2004214303.tif 000002
【特許請求の範囲】
【請求項１】
電子部品が実装された実装基板と、この実装基板を覆うカバーとを有し、このカバーは、導電性のカバー本体と、このカバー本体に積層された絶縁シートとを具備し、このカバー本体と絶縁シートとは、互いの積層方向と平行な方向の相対位置を規制する第１の位置決め部と、互いの積層方向と垂直な方向の相対位置を規制する第２の位置決め部とにより、固定されてなることを特徴とする電子装置。
【発明の詳細な説明】
【０００１】
【発明の属する技術分野】
本発明は、電源ユニット等の電子装置に関する。
【０００２】
【従来の技術】
例えばデジタル移動通信システムにおける無線基地局においては、無線変復調部を構成するベースバンド信号処理部等の実装基板と共に、筐体内に電源ユニットが収納される。この種の電源ユニットは、電源部品が実装された実装基板から他の実装基板などへの漏電や、メンテナンス作業者が電源ユニットに触れて感電することを防止するために、例えば電源部品が実装された実装基板をカバーなどで覆い、このカバーなどと実装基板とが絶縁されるようにしてある。この種の電子装置として、複数の実装基板を１つの筐体に収納する際に、それぞれの実装基板の間に絶縁シートを挟むようにして実装基板を固定し、実装基板間の絶縁をする技術が知られている（特許文献１参照）。また、実装基板の裏面を覆う導電性の裏面カバーに係合孔を穿設し、実装基板の表面を覆う表面カバーに設けられた爪に裏面カバーの係合孔を係合させ、裏面カバーと表面カバーとの間に絶縁シートと実装基板とを挟むことにより絶縁シートを固定し、裏面カバーと実装基板とを絶縁する技術が知られている。（特許文献２参照）。
【０００３】
【特許文献１】特開平７−１０６７７６号公報
【特許文献２】特開平７−３３６０８３号公報
【０００４】
【発明が解決しようとする課題】
特許文献１に記載のように、複数の実装基板で絶縁シートを挟むことによって実装基板間を絶縁する技術では、メンテナンス時などに絶縁シートを挟む実装基板の一方が筐体から取り外されると、他方の実装基板が絶縁されないことがある。また、特許文献２に記載のように、裏面カバーと表面カバーとの間に、絶縁シートと実装基板とを挟むことによって絶縁シートを固定する技術では、メンテナンス後などの組み立て時に、絶縁シートの位置決めが必要になることがある。
一方、実装基板を覆うカバーが絶縁性を有すると、実装基板は確実にカバーの外部と絶縁され、組み立て時やメンテナンス後などにカバーを基板に取り付ける作業を容易にすることができる。カバーに絶縁性を持たせる方法として、例えば絶縁シートをカバーの内面に両面接着剤で貼り付ける方法がある。しかしながら、絶縁シートをカバーの内面に両面接着剤で貼り付ける場合には、絶縁シートを貼り付ける際に位置決めが困難になることがある。
【０００５】そこで、本発明は、電子部品が実装された実装基板を容易に絶縁することができる電子装置を提供することを目的としている。
【０００６】
【課題を解決するための手段】
上記目的を達成するため、本発明の特徴とするところは、電子部品が実装された実装基板と、この実装基板を覆うカバーとを有し、このカバーは、導電性のカバー本体と、このカバー本体に積層された絶縁シートとから成り、このカバー本体と絶縁シートとは、互いの積層方向と平行な方向の相対位置を規制する第１の位置決め部と、互いの積層方向と垂直な方向の相対位置を規制する第２の位置決め部とにより、固定されてなる電子装置にある。
【０００７】第１の位置決め部は、例えば複数の曲げ部から構成することができる。曲げ部は、絶縁シートが装着されるカバー本体の一部をカバー裏面に対してほぼ垂直に曲げることによって形成することができ、絶縁シートがカバー裏面に対して平行に移動することを規制する。第２の位置決め部は、例えば複数の爪部から構成することができる。爪部は、カバー本体の一部の曲成によってカバー裏面との間に隙間ができるように形成することができ、カバー裏面と爪部との間に絶縁シートの一部が配置されるようにして、絶縁シートがカバー裏面に対して平行及び垂直に移動することを規制する。爪部は、カバー裏面との間に形成された隙間の高さを絶縁シートの厚さよりもわずかに高く形成することができ、絶縁シートがカバー裏面に対して垂直方向に移動することを十分に規制できるように長さ、幅、個数及び間隔を設定することができる。よって、カバーは、例えば絶縁シートがほぼ四角形の場合には、絶縁シートの形状に応じて、カバー裏面の対向する２辺に設けられた複数の爪部と、その他の２辺にそれぞれ設けられた第１の曲げ部及び第２の曲げ部によって絶縁シートを装着することができる。
【０００８】カバーは、絶縁シートを第２の曲げ部が設けられたカバー前面部の上方からカバー裏面に沿って挿入し、カバー裏面と爪部との間に設けられた隙間を通過させて第１の曲げ部に突き当たるようにすることができ、絶縁シートの装着を容易にする。また、カバーは、絶縁シートが爪部及び曲げ部に囲まれる面とほぼ同じ形状で、わずかに小さく形成されることにより、爪部及び曲げ部に囲まれる範囲において、爪部とカバー裏面との間に設けられた隙間の高さを有する空間に絶縁シートを収容することができ、絶縁シートの位置決めを容易にすることができる。
【０００９】
【発明の実施の形態】
次に本発明の実施形態を図面に基づいて説明する。
図１は、本発明が適用される無線基地局２０を配置するデジタル移動通信システム１０の構成を例示する図である。図１に示すように、デジタル移動通信システム１０は、交換機１２が他の交換機１２及びホームロケーションレジスタ（ＨＬＲ）１４に接続されるとともに、基地局制御１６及び有線伝送路１８を介して無線基地局２０に接続されるように構成されている。無線基地局２０は、無線基地局２０のサービスエリア（セル）内にある移動機２２との間において、アンテナ２４を介して信号を送受信し、移動機２２が他の無線基地局２０のサービスエリア内にある移動機２２と通信することを可能にする。
【００１０】図２において、無線基地局２０の構成が示されている。無線基地局２０は、例えば２本のアンテナ２４、送受信増幅部２６及び無線変復調部２８から構成される。アンテナ２４は、送受信増幅部２６から入力される信号（下り信号）を移動機２２（図１）に出力し、移動機２２が出力する信号（上り信号）をもう１つのアンテナ２４とともにダイバーシチ受信し送受信増幅部２６に出力する。送受信増幅部２６は、送信増幅部及びローノイズアンプなどの受信増幅部（ともに図示せず）などを含み、無線変復調部２８から入力される下り信号を増幅しアンテナ２４に出力するとともに、アンテナ２４から入力される上り信号を増幅し無線変復調部２８に出力する。また、送受信増幅部２６は、後述する制御部（ＣＮＴ）３２によって制御されており、例えば送信利得異常を自動検知すると、異常を示す信号を制御部３２に出力し、送信利得異常を補償する制御信号を制御部３２から受け入れる。
【００１１】無線変復調部２８は、電源ユニット３０、制御部（ＣＮＴ）３２、周波数変換部（ＴＲＸ）３４、ベースバンド信号処理部（ＢＢ）３６、インターフェイス部（ＨＷＹ）３８、ファンユニット４０及びメンテナンスツール４２から構成される。電源ユニット３０は、外部から供給される１００Ｖの交流を直流に変換し、送受信増幅部２６及び無線変復調部２８を構成する各部に対してそれぞれ所定の電圧で電力を供給する。周波数変換部３４は、制御部３２によって制御され、ベースバンド信号処理部３６から入力される下り信号の周波数を変換し送受信増幅部２６に出力するとともに、送受信増幅部２６から入力される上り信号の周波数を変換しベースバンド信号処理部３６に出力する。ベースバンド信号処理部３６は、制御部３２によって制御され、インターフェイス部３８から入力される下り信号の符号化などを行って周波数変換部３４に出力するとともに、周波数変換部３４から入力される上り信号の復号化などを行ってインターフェイス部３８に出力する。インターフェイス部３８は、制御部３２によって制御され、基地局制御１６から出力される下り信号を有線伝送路１８を介して受け入れてベースバンド信号処理部３６に出力するとともに、ベースバンド信号処理部３６から入力される上り信号を有線伝送路１８を介して基地局制御１６へ出力する。ファンユニット４０は、制御部３２によって制御され、ファンユニット４０に含まれるファン（図示せず）を回転させて無線変復調部２８を構成する各部の放熱を促す。メンテナンスツール４２は、外部コンピュータなどを接続することができ、管理者等が制御部３２を介して無線基地局２０のメンテナンス等を行うことを可能にする。
【００１２】図３及び図４において、電源ユニット３０の外観が示され、図５において、電源ユニット３０の内部が示されている。
電源ユニット３０は、例えば電源部品などの電子部品が実装された実装基板４４が第１のカバー４６、第２のカバー４８及びフロントパネル５０によって覆われるように構成されている。実装基板４４には、電源ユニット３０を基地局筐体（図示せず）と接続するためのコネクタ５２が長手方向背面（図３の左側）のやや下方に設けられ、基地局筐体から電源ユニット３０を挿抜するためのカードレバー５４が長手方向前面の上下端にそれぞれ設けられている。
【００１３】第１のカバー４６は、導電性の第１のカバー本体６８（図６を用いて後述）と、この第１のカバー本体６８の内側に積層された第１の絶縁シート８４（図７を用いて後述）から成る。第１のカバー本体６８は、例えば７つのスペーサー５６を有し、実装基板４４の基板裏面６４とスペーサー５６とをネジ止めすることにより、第１のカバー４６は実装基板４４に固定される。よって、実装基板４４と第１のカバー本体６８とは絶縁されている。
【００１４】フロントパネル５０は、実装基板４４に設けられたカードレバー５４をむき出しにして、電源ユニット３０の前面を覆うように取り付けられており、フロントパネル５０の前面上端には、電源ユニット３０を基地局筐体に固定し、アースを兼ねる固定ネジ５８が設けられている。また、フロントパネル５０の側面には、第２のカバー４８に設けられた、例えば２つの第２の曲げ部１１４（図８を用いて後述）と嵌合するように固定部６０が形成されている。さらに固定部６０には、第２の曲げ部１１４に設けられている、例えば３つの前面欠け部１１６に対応する位置に固定用ネジ穴６２が設けられている。
【００１５】第２のカバー４８は、導電性の第２のカバー本体８８（図８を用いて後述）と、この第２のカバー本体８８の実装基板４４に対向する面に積層された第２の絶縁シート１０２（図１０を用いて後述）から成る。第２のカバー本体８８は、実装基板４４の第１のカバー４６及びフロントパネル５０に覆われた２つの面を除き、４つの面により実装基板４４を覆うように設けられている。また、実装基板４４に実装された電子部品などは、第２のカバー本体８８の実装基板４４に対向する内側を除き、第２のカバー本体８８に対して十分に離して配置されている。よって、実装基板４４と第２のカバー４８とは絶縁される構成となっている。
【００１６】次に第１のカバー本体６８について詳述する。
図６において、第１のカバー本体６８が示されている。第１のカバー本体６８は、例えば実装基板４４の基板裏面６４（図３）を覆うようにほぼ四角形に一枚の導体板から形成されており、第１の切り欠き部７０、背面曲げ部７２、上端曲げ部７４、下端曲げ部７６、欠け部７８、穴部８０及びスペーサー５６を有する。
【００１７】第１の切り欠き部７０は、電源ユニット３０の組み立て時に、コネクタ５２が遊嵌するように設けられている。第１の切り欠き部７０の上下には、背面曲げ部７２が、例えば曲成によって第１のカバー本体６８に対し垂直に設けられている。背面曲げ部７２には、例えば４つの背面ネジ穴８２が設けられ、この背面ネジ穴８２が後述する第２のカバー４８の背面穴部１１０とともに第２のカバー４８側からネジ止めされることにより、第２のカバー４８は第１のカバー４６に固定される。上端曲げ部７４及び下端曲げ部７６は、例えば第１のカバー本体６８の上端及び下端の曲成によりそれぞれ設けられ、後述する第１の絶縁シート８４の上端及び下端を覆うように形成されている。欠け部７８及び穴部８０は、第１のカバー本体６８を実装基板４４に固定した状態において、実装基板４４にドライバーなどの工具をあてられるように複数設けられている。
【００１８】図７において、第１の絶縁シート８４が示されている。第１の絶縁シート８４は、第１のカバー本体６８の第１の切り欠き部７０、欠け部７８、穴部８０及びスペーサー５６など形状に応じ、第１のカバー４６の基板裏面６４に対向する面をほぼ覆うことができるように形成されるとともに、選択された例えば４つのスペーサー５６と対応する位置に配置された４つの受け穴８６を有するシート状の絶縁体である。
【００１９】この第１の絶縁シート８４は、例えば両面接着剤などで第１のカバー本体６８の基板裏面６４に対向する面に貼付され、実装基板４４と第１のカバー本体６８とを絶縁する。第１の絶縁シート８４を第１のカバー本体６８に貼付する際に、第１の絶縁シート８４は、上述した４つの受け穴８６と対応する４つのスペーサー５６とが嵌合することによって第１のカバー本体６８に対する位置決めを容易にすることができる。
【００２０】次に第２のカバー本体８８について詳述する。
図８において、第２のカバー本体８８が示されている。第２のカバー本体８８は、例えば基板表面６６を覆うようにほぼ四角形に一枚の導体板から形成されており、曲成により設けられたカバー下面部９０、カバー上面部９２、カバー背面部９４及びカバー前面部９６とを有する。
【００２１】カバー下面部９０は、上述したように第２のカバー本体８８に曲成によって設けられており、さらにカバー下面部９０には、例えば曲成により設けられた２つの基板固定部９８と、例えば１２箇所の下面風穴部１００とを有する。下面風穴部１００は、空気が電源ユニット３０内を上下方向に流れることができるように設けられている。この下面風穴部１００のうち、例えば２つの下面風穴部１００は、第２の絶縁シート１０２と第２のカバー本体８８の基板表面６６に対向する面とが互いの積層方向と垂直な方向の相対位置を規制できるように第２の位置決め部を有する。第２の位置決め部は、上述したように、例えば２つの下面風穴部１００がそれぞれ爪部１０４を有することにより構成されている。
【００２２】図９において、拡大したカバー下面部９０の爪部１０４が示されている。爪部１０４は、第２のカバー本体８８の基板表面６６に対向する面と爪部１０４との間に設けられた隙間ｎを数ｍｍ程度とし、カバー下面部９０に対して垂直方向の長さｍが数ｍｍ〜数十ｍｍ程度の爪状となるように、それぞれ第２のカバー本体８８に曲成によって設けられている。
【００２３】カバー上面部９２（図８）は、上述したように第２のカバー本体８８に曲成によって設けられており、さらにカバー上面部９２にはカバー下面部９０と同様に、例えば２つの基板固定部９８と、例えば２つの上面風穴部１０６とを有する。この上面風穴部１０６は、電源ユニット３０を冷却するファン（図示せず）から送られる風を受け入れ、上述した下面風穴部１００とともに空気が電源ユニット３０内を上下方向に流れることができるように設けられている。また、２つの上面風穴部１０６には、カバー下面部９０と同様に、第２の絶縁シート１０２と第２のカバー本体８８の基板表面６６に対向する面とが互いの積層方向と垂直な方向の相対位置を規制できるように第２の位置決め部を有する。第２の位置決め部は、例えば２つの上面風穴部１０６がそれぞれ爪部１０４を有することにより構成されている。
【００２４】カバー背面部９４は、例えばコネクタ５２を遊嵌する第２の切り欠き１０８と、４つの背面穴部１１０、及び第２の絶縁シート１０２と第２のカバー本体８８の基板表面６６に対向する面とが互いの積層方向と平行な方向の相対位置を規制できるように第１の位置決め部を有する。背面穴部１１０は、上述したように第２のカバー４８と第１のカバー４６とを固定するために、第１のカバー本体６８の背面ネジ穴８２とともにネジ止めされる。第１の位置決め部は、例えば３つの第１の曲げ部１１２から構成される。第１の曲げ部１１２は、カバー背面部９４の一部を小窓状に切り出し、第２のカバー本体８８の実装基板４４に対向する面に対してほぼ垂直な小壁となるように曲成され、第１の曲げ部１１２がカバー背面部９４よりもわずかにカバー前面部９６側に設けられている。
【００２５】カバー前面部９６は、カバー背面部９４と同様に、第２の絶縁シート１０２と第２のカバー本体８８の基板表面６６に対向する面とが互いの積層方向と平行な方向の相対位置を規制できるように第１の位置決め部を有する。第１の位置決め部は、例えば２つの第２の曲げ部１１４から構成され、この第２の曲げ部１１４には、例えば３つの前面欠け部１１６が設けられている。第２の曲げ部１１４は、例えば高さが数ｍｍ程度となるように設けられている。前面欠け部１１６は、フロントパネル５０と、第２のカバー４８とを固定するためにフロントパネル５０（図５）の固定用ネジ穴６２とともにネジ止めされる。
【００２６】図１０において、第２の絶縁シート１０２が示されている。第２の絶縁シート１０２は、第２のカバー本体８８の基板表面６６に対向する面の形状に応じたほぼ四角形に形成されているため、第２のカバー本体８８の基板表面６６に対向する面をほぼ覆うことができ、厚さを０．１〜１ｍｍ程度とするシート状の絶縁体である。また、第２の絶縁シート１０２は、第２のカバー本体８８との相対位置を第１の曲げ部１１２に押し当てられて規制されるシート背面端１２０、カバー下面部９０の爪部１０４によって規制されるシート下面端１２２、カバー上面部９２の爪部１０４によって規制されるシート上面端１２４、及び第２の曲げ部１１４に当てられて規制されるシート前面端１２６を有する。
【００２７】次に第２の絶縁シート１０２の装着手順について説明する。
図１１において、第２の絶縁シート１０２を第２のカバー本体８８に装着する過程を示す。第２の絶縁シート１０２は、第２のカバー本体８８に積層される際に、シート背面端１２０が第２の曲げ部１１４を回避して、カバー下面部９０及びカバー上面部９２のそれぞれの爪部１０４によって設けられた複数の隙間ｎを通過するように、カバー前面部９６近傍からカバー背面部９４に向けて挿入される。シート背面端１２０は、爪部１０４によって設けられた複数の隙間ｎを全て通過し、第１の曲げ部１１２に押し当てられるまで挿入される。
【００２８】図１２において、シート背面端１２０が第１の曲げ部１１２に押し当てられた状態を示す。シート背面端１２０が第１の曲げ部１１２に当てられると、第２の絶縁シート１０２が第２のカバー本体８８の基板表面６６に対向する面の形状に応じて形成されているため、シート前面端１２６は第２の曲げ部１１４を越えて第２のカバー本体８８の基板表面６６に対向する面に向けて押し込まれる。すなわち、第２の絶縁シート１０２は、第２のカバー本体８８に対して容易に位置決めされて装着される。
【００２９】上記の実施形態において、第１の位置決め部及び第２の位置決め部は、第２のカバー本体８８に設けられているが、これに限定するものではなく、例えば第２の絶縁シート１０２に設けられても良いし、第２のカバー本体８８と第２の絶縁シート１０２との双方に設けられても良い。よって、この第２のカバー本体８８と第２の絶縁シート１０２とは、互いの積層方向と平行な方向の相対位置を規制する第１の位置決め部と、互いの積層方向と垂直な方向の相対位置を規制する第２の位置決め部とによって固定されている。
【００３０】以上のように、第２のカバー本体８８は、第１の曲げ部１１２、第２の曲げ部１１４、カバー下面部９０の爪部１０４及びカバー上面部９２の爪部１０４により、第２の絶縁シート１０２を両面接着剤を用いることなく所定の位置に容易に装着することができ、両面接着剤で絶縁シートを接着する場合に発生する絶縁シートの貼り直し作業を防止することができる。また、絶縁シートに接着剤が必要なくなるため、絶縁シートに必要なコストを低減することができる。
カバー下面部９０及びカバー上面部９２にそれぞれ２つ設けられた爪部１０４は、絶縁シート１０２が第２のカバー本体８８に対して垂直方向に移動することを十分に規制できるように長さ、幅、個数及び間隔を設定されることが好ましい。
第１の曲げ部１１２は、爪状に形成されても良い。
なお、第２の絶縁シート１０２は、第２のカバー本体８８の基板表面６６に対向する面と基板表面６６とを絶縁するように設けられたが、これに限定するものではなく、第２の絶縁シート１０２を第１の曲げ部１１２の近傍で、例えばＬ字状に曲げられた形状にし、さらに基板表面６６に実装された電子部品とカバー背面部９４とを絶縁することができるようにしてもよい。
【００３１】
【発明の効果】
以上述べたように、本発明によれば、第１の位置決め部と第２の位置決め部とによって絶縁シートをカバーに容易に固定することができ、実装基板とカバーとを絶縁することができる。
【図面の簡単な説明】
【図１】本発明が適用される無線基地局を配置するデジタル移動通信システムの構成を例示する図である。
【図２】本発明の実施形態に係る電子装置を用いた無線基地局の構成を示す図である。
【図３】本発明の実施形態に係る電子装置の外観を示す図である。
【図４】本発明の実施形態に係る電子装置の外観を示す図である。
【図５】本発明の実施形態に係る電子装置の内部を示す図である。
【図６】本発明の実施形態に係る電子装置に用いられる第１のカバー本体を示す図である。
【図７】本発明の実施形態に係る電子装置に用いられる第１の絶縁シートを示す図である。
【図８】本発明の実施形態に係る電子装置に用いられる第２のカバー本体を示す図である。
【図９】本発明の実施形態に係る電子装置に用いられる第２のカバー本体の爪部を拡大して示す図である。
【図１０】本発明の実施形態に係る電子装置に用いられる第２の絶縁シートを示す図である。
【図１１】本発明の実施形態に係る電子装置に用いられる第２のカバー本体に第２の絶縁シートを装着する過程を示す図である。
【図１２】本発明の実施形態に係る電子装置に用いられる第２の絶縁シートのシート背面端が第２のカバー本体の第１の曲げ部に当てられた状態を示す図である。
【符号の説明】
２０    無線基地局
２８    無線変復調部
３０    電源ユニット
４４    実装基板
４６    第１のカバー
４８    第２のカバー
５０    フロントパネル
６８    第１のカバー本体
８４    第１の絶縁シート
８８    第２のカバー本体
１０２  第２の絶縁シート
１０４  爪部
１１２  第１の曲げ部
１１４  第２の曲げ部
１２０  シート背面端
１２６  シート前面端
【図１】
2004214303.tif 000003
【図２】
2004214303.tif 000004
【図３】
2004214303.tif 000005
【図４】
2004214303.tif 000006
【図５】
2004214303.tif 000007
【図６】
2004214303.tif 000008
【図７】
2004214303.tif 000009
【図８】
2004214303.tif 000010
【図９】
2004214303.tif 000011
【図１０】
2004214303.tif 000012
【図１１】
2004214303.tif 000013
【図１２】
2004214303.tif 000014